(57)【要約】【課題】ヘッド部をロックするためのスイッチが不要となって、部品点数を削減することができ、全体の簡素化及び低コスト化を図ることができる電気ひげそり器を提供する。【解決手段】手で把持するグリップ部２と、ひげそり刃ユニット１０を保持すると共にグリップ部２に対して所定方向に揺動自在に支持されたヘッド部６とから成る電気ひげそり器１において、ヘッド部６に操作子３０で使用状態と格納状態とに切り換え操作されるきわぞり刃ユニット２０を配設すると共に、操作子３０の操作によるきわぞり刃ユニット２０の使用状態への切り換え時に該操作子３０と嵌合するヘッド部固定用の係止部３７をヘッド部６に設けた。【選択図】図１
2010162145.tif 000002
【特許請求の範囲】
【請求項１】
手で把持するグリップ部と、ひげそり刃ユニットを保持すると共に前記グリップ部に対して所定方向に揺動自在に支持されたヘッド部とから成る電気ひげそり器において、
前記ヘッド部に操作子で使用状態と格納状態とに切り換え操作されるきわぞり刃ユニットを配設すると共に、前記操作子の操作による前記きわぞり刃ユニットの使用状態への切り換え時に該操作子と嵌合するヘッド部固定用の係止部を前記ヘッド部に設けたことを特徴とする電気ひげそり器。
【請求項２】
請求項１記載の電気ひげそり器であって、
前記グリップ部に前記きわぞり刃ユニットを使用状態と格納状態とに切り換え操作する操作子を往復スライド動自在に配設すると共に、該グリップ部に該操作子と嵌合・離脱する係止部を設けたことを特徴とする電気ひげそり器。
【請求項３】
請求項２記載の電気ひげそり器であって、
前記操作子を円弧軌道で往復スライド動させるようにしたことを特徴とする電気ひげそり器。
【発明の詳細な説明】
【技術分野】
【０００１】
本発明は、内刃と外刃とから成るひげそり刃ユニットを保持するヘッド部がグリップ部に対して所定方向に揺動自在に支持された電気ひげそり器に関する。
【背景技術】
【０００２】
この種の電気ひげそり器として、内刃と外刃とから成るひげそり刃ユニットの他に、きわぞり刃ユニットを備えたものが知られている（例えば、特許文献１参照。）。
【０００３】
この電気ひげそり器は、手で把持するグリップ部と、ひげそり刃ユニットを保持すると共に、グリップ部に対して前後方向に揺動自在に支持されたヘッド部とから構成されている。また、グリップ部の背面の上側にはきわぞり刃ユニットを備えており、このきわぞり刃ユニットはグリップ部に設けられた切換ノブにより使用状態（起立状態）と格納状態とに切り換え操作されるようになっている。
【先行技術文献】
【特許文献】
【０００４】
【特許文献１】特開２００２−３１５９７８号公報（図３〜図５）
【発明の概要】
【発明が解決しようとする課題】
【０００５】
しかしながら、前記従来の電気ひげそり器では、グリップ部に対して前後方向に揺動するヘッド部をロックするためのロックスイッチと、きわぞり刃ユニットを使用状態と格納状態に切り換え操作する切換ノブとがグリップ部にそれぞれ別々に設けられていたため、その分、部品点数が増えて、全体の構造が複雑になると共に、コスト高であった。
【０００６】
そこで、本発明は、前記した課題を解決すべくなされたものであり、ヘッド部をロックするためのスイッチが不要となって、部品点数を削減することができ、全体の簡素化及び低コスト化を図ることができる電気ひげそり器を提供することを目的とする。
【課題を解決するための手段】
【０００７】
請求項１の発明は、手で把持するグリップ部と、ひげそり刃ユニットを保持すると共に前記グリップ部に対して所定方向に揺動自在に支持されたヘッド部とから成る電気ひげそり器において、前記ヘッド部に操作子で使用状態と格納状態とに切り換え操作されるきわぞり刃ユニットを配設すると共に、前記操作子の操作による前記きわぞり刃ユニットの使用状態への切り換え時に該操作子と嵌合するヘッド部固定用の係止部を前記ヘッド部に設けたことを特徴とする。
【０００８】
請求項２の発明は、請求項１記載の電気ひげそり器であって、前記グリップ部に前記きわぞり刃ユニットを使用状態と格納状態とに切り換え操作する操作子を往復スライド動自在に配設すると共に、該グリップ部に該操作子と嵌合・離脱する係止部を設けたことを特徴とする。
【０００９】
請求項３の発明は、請求項２記載の電気ひげそり器であって、前記操作子を円弧軌道で往復スライド動させるようにしたことを特徴とする。
【発明の効果】
【００１０】
以上説明したように、請求項１の発明によれば、ヘッド部に操作子で使用状態と格納状態とに切り換え操作されるきわぞり刃ユニットを配設すると共に、操作子の操作によるきわぞり刃ユニットの使用状態への切り換え時に該操作子と嵌合するヘッド部固定用の係止部をヘッド部に設けたことにより、ヘッド部をロックするためのスイッチが不要となり、その分、部品点数を削減することができ、全体の簡素化及び低コスト化を図ることができる。
【００１１】
請求項２の発明によれば、グリップ部にきわぞり刃ユニットを使用状態と格納状態とに切り換え操作する操作子を往復スライド動自在に配設すると共に、該グリップ部に該操作子と嵌合・離脱する係止部を設けたことにより、グリップ部の係止部で操作子の操作性を確保しつつ、ヘッド部の係止部でヘッド部のガタ付きを確実に防ぐことができる。
【００１２】
請求項３の発明によれば、操作子を円弧軌道で往復スライド動させるようにしたことにより、ヘッド部の回動軸に近い方向にヘッド部のクリック力を伝え、ヘッド部の押し上げ時のヘッド部の回転方向のガタ付きを確実に抑制することができる。
【図面の簡単な説明】
【００１３】
【図１】本発明の実施形態の電気ひげそり器を示す側面図である。
【図２】上記電気ひげそり器の要部の斜視図である。
【図３】上記電気ひげそり器の操作子の操作前の要部の側面図である。
【図４】上記操作子の第１操作時の要部の側面図である。
【図５】上記操作子の第２操作時の要部の側面図である。
【図６】上記操作子の操作前の要部の背面図である。
【図７】上記同操作子の第１操作時の要部の背面図である。
【図８】上記操作子の第２操作時の要部の背面図である。
【図９】上記操作子の操作前の状態を一部断面で示す要部の側面図である。
【図１０】上記操作子の第１操作時の状態を一部断面で示す要部の側面図である。
【図１１】上記操作子の第２操作時の状態を一部断面で示す要部の側面図である。
【図１２】上記操作子の操作前の状態を一部断面で示す要部の背面図である。
【図１３】上記操作子の第１操作時の状態を一部断面で示す要部の背面図である。
【図１４】上記操作子の第２操作時の状態を一部断面で示す要部の背面図である。
【図１５】上記操作子の操作方向を示す側面図である。
【図１６】本発明の他の実施形態の電気ひげそり器の要部を示す斜視図である。
【発明を実施するための形態】
【００１４】
以下、本発明の実施形態を図面に基づいて説明する。
【００１５】
図１は本発明の実施形態の電気ひげそり器を示す側面図、図２は同電気ひげそり器の要部の斜視図、図３は同電気ひげそり器の操作子の操作前の要部の側面図、図４は同操作子の第１操作時の要部の側面図、図５は同操作子の第２操作時の要部の側面図、図６は同操作子の操作前の要部の背面図、図７は同操作子の第１操作時の要部の背面図、図８は同操作子の第２操作時の要部の背面図、図９は同操作子の操作前の状態を一部断面で示す要部の側面図、図１０は同操作子の第１操作時の状態を一部断面で示す要部の側面図、図１１は同操作子の第２操作時の状態を一部断面で示す要部の側面図、図１２は同操作子の操作前の状態を一部断面で示す要部の背面図、図１３は同操作子の第１操作時の状態を一部断面で示す要部の背面図、図１４は同操作子の第２操作時の状態を一部断面で示す要部の背面図、図１５は同操作子の操作方向を示す側面図である。
【００１６】
図１及び図１５に示すように、電気ひげそり器１は、手で把持するグリップ部２と、ひげそり刃ユニット１０を保持すると共にグリップ部２に対して前後方向及び左右方向に揺動自在に支持されたヘッド部６とから構成されている。
【００１７】
グリップ部２は、上面３ａが前面３ｂから背面３ｃにかけて傾斜した合成樹脂製のグリップ本体３と、このグリップ本体３の傾斜した上面３ａより後方に突設された合成樹脂製のグリップ接続部４とから構成されている。このグリップ接続部４の上面４ａの中央の凹部４ｂ内には、ヘッド部６を左右方向に揺動させる左右揺動機構８を設けてある。また、この左右揺動機構８とヘッド部６の下部との間には、該ヘッド部６を前後方向に揺動させる前後揺動機構９を設けてある。
【００１８】
さらに、図１〜図８に示すように、ヘッド部６の上面６ａの開口部６ｂ内には、ひげそり刃ユニット１０を配設してあると共に、該ヘッド部６の背面６ｃに形成された凹部７内には、きわぞり刃ユニット２０を配設してある。また、グリップ部２のグリップ接続部４の背面４ｃに形成された凹部５内には、きわぞり刃ユニット２０を使用状態（起立状態）と格納状態（傾倒状態）とに切り換え操作する合成樹脂製の操作子３０を往復スライド動自在に配設してある。
【００１９】
図３〜図８に示すように、ひげそり刃ユニット１０は、ヘッド部６の上面６ａの開口部６ｂより外側に露出する複数のネット外刃１１，１１及び複数のスリット外刃１２，１２を有しており、各外刃１１，１２に導入された髭をヘッド部６内に設けられたリニアモータから駆動子を介して往復動される各内刃（いずれも図示省略）でカットできるようになっている。
【００２０】
図６〜図１１に示すように、きわぞり刃ユニット２０は、きわぞり刃２１と、このきわぞり刃２１を保持するカバーを兼ねた合成樹脂製の刃保持体２２とを備えている。きわぞり刃２１の下端中央部は、前記リニアモータに連係された駆動桿（駆動子）２３に嵌合されており、この駆動桿２３を介してきわぞり刃２１は左右方向に往復動するようになっている。刃保持体２２の基端部の両側の円弧部２２ａ，２２ａは、ヘッド部６の凹部７の両側に突設した一対の回動支軸７ａ，７ａに回動自在に支持されている。また、刃保持体２２の基部の両側に一体突出形成された一対の突出片２２ｂ，２２ｂには丸孔２２ｃをそれぞれ形成してある。この各丸孔２２ｃにはヘッド部６の凹部７の底面７ｂの両側に沿って前後方向に往復スライド動する各ハンドルアーム２５の先端に突出したピン部２５ａを枢支してある。即ち、各ハンドルアーム２５の基端部２５ｂが後述する操作子３０の操作子本体３１の前面３１ａ及び第２クリック弾性脚３３で押圧されると各ハンドルアーム２５が往動して刃保持体２２を起立させるようになっている。また、操作子３０による押圧が解除されると、各ハンドルアーム２５が図示しないバネ部材の付勢力により復動されて元の位置に戻ることで、刃保持体２２をヘッド部６の凹部７内に格納させるようになっている。
【００２１】
図３〜図１５に示すように、操作子３０は、グリップ部２のグリップ接続部４の背面４ｃに形成された凹部５内で前後方向に往復スライド動する合成樹脂製の操作子本体３１と、この操作子本体３１の下側に突設されて後方向に延びると共にグリップ接続部４の凹部５内の底面５ａにおいて往復スライド動する合成樹脂製で一対の第１クリック弾性脚３２，３２と、操作子本体３１の下側に突設されて前方向に延びると共にグリップ接続部４の凹部５内の底面５ａにおいて往復スライド動する合成樹脂製で一対の第２クリック弾性脚３３，３３と、操作子本体３１の下側に連結されてグリップ接続部４の両側より左右揺動機構８の左右スイングカバー８ａ内に突設した合成樹脂製で正面コ字状のロック部材３４とを備えている。
【００２２】
図３〜図５，図１５に示すように、操作子３０の操作子本体３１は、グリップ部２のグリップ接続部４の凹部５内の上側において前後方向に円弧軌道で往復スライド動するようになっている。即ち、図１５に示すように、操作子本体３１はヘッド部６の回動軸Ｘに近い方向に向かって円弧軌道で往復スライド動するようになっている。
【００２３】
図１２に示すように、操作子３０の操作前では、一対の第１クリック弾性脚３２，３２の各先端凸部３２ａがグリップ接続部４の凹部５の両側に突設された一対の第１係止部（係止部）３５の各第１段目の凸部３５ａに嵌合するようになっている。
【００２４】
また、図１３に示すように、操作子３０の第１操作（第１クリック）時に、一対の第１クリック弾性脚３２，３２の各先端凸部３２ａがグリップ接続部４の凹部５の両側に突設された一対の第１係止部３５の各第１段目の凸部３５ａと各第２段目の凸部３５ｂとの間に嵌合するようになっている。この際に、図１０に示すように、ロック部材３４の両先端部３４ａ，３４ａがヘッド部６の底面６ｄの両側に形成された一対の凹部６ｅ，６ｅに嵌合することにより、グリップ部２のグリップ接続部４に対してヘッド部６がロックされるようになっている。
【００２５】
さらに、図１４に示すように、操作子３０の第２操作（第２クリック）時に、一対の第１クリック弾性脚３２，３２の各先端凸部３２ａがグリップ接続部４の凹部５の両側に突設された一対の第１係止部３５，３５の各第２段目の凸部３５ｂに嵌合するようになっていると共に、一対の第２クリック弾性脚３３，３３がヘッド部６の凹部７の底面７ｂに突設された一対の第２係止部（ヘッド部固定用の係止部）３７，３７の各凸部３７ａに嵌合するようになっている。この際に、図５，図８，図１１に示すように、操作子本体３１の前面３１ａ及び各第２クリック弾性脚３３で各ハンドルアーム２５が前方向に押圧されることにより、きわぞり刃ユニット２０がヘッド部６の凹部７内の格納状態から使用状態に切り換えられるようになっている。
【００２６】
以上実施形態の電気ひげそり器１によれば、図４，図７，図１０，図１３に示すように、操作子３０をヘッド部６の底面６ｄ側に往スライド動操作すると、この第１操作（第１クリック）時に、一対の第１クリック弾性脚３２，３２の各先端凸部３２ａがグリップ接続部４の凹部５の両側に突設された一対の第１係止部３５の各第１段目の凸部３５ａと各第２段目の凸部３５ｂとの間に嵌合すると共に、ロック部材３４の両先端部３４ａ，３４ａがヘッド部６の底面６ｄの両側に形成された一対の凹部６ｅ，６ｅに嵌合する。これにより、グリップ部２のグリップ接続部４に対してヘッド部６がロックされる。
【００２７】
また、図５，図８，図１１，図１４に示すように、操作子３０をヘッド部６の底面６ｄ側に更に往スライド動スライド操作すると、この第２操作（第２クリック）時に、一対の第１クリック弾性脚３２，３２の各先端凸部３２ａがグリップ接続部４の凹部５の両側に突設された一対の第１係止部３５，３５の各第２段目の凸部３５ｂに嵌合すると共に、一対の第２クリック弾性脚３３，３３がヘッド部６の凹部７の底面７ｂに突設された一対の第２係止部３７，３７の各凸部３７ａに嵌合する。これにより、ヘッド部６のガタ付きを確実に防止することができる。
【００２８】
この際に、図５，図８，図１１に示すように、操作子３０でヘッド部６の凹部７内の両側の各ハンドルアーム２５が前方に押圧され、ヘッド部６の凹部７内に格納されていたきわぞり刃ユニット２０が起立して使用状態に切り換えられる。この状態より、操作子３０を復スライド動操作すると、各ハンドルアーム２５が図示しないバネ部材の付勢力により復動されて元の位置に戻ることにより、きわぞり刃ユニット２０がヘッド部６の凹部７内に格納される。
【００２９】
このように、ヘッド部６の凹部７内に操作子３０で使用状態と格納状態とに切り換え操作されるきわぞり刃ユニット２０を配設すると共に、操作子３０の操作によるきわぞり刃ユニット２０の使用状態への切り換え時に該操作子３０の第２クリック弾性脚３３と嵌合するヘッド部固定用の第２係止部３７をヘッド部６の凹部７に設けたことにより、ヘッド部６をロックするためのスイッチが不要となり、その分、部品点数を削減することができ、全体の簡素化及び低コスト化を図ることができる。
【００３０】
また、グリップ部２にきわぞり刃ユニット２０を使用状態と格納状態とに切り換え操作する操作子３０を往復スライド動自在に配設すると共に、該グリップ部２のグリップ接続部４の背面４ｃに形成された凹部５内に該操作子３０の第１クリック弾性脚３２と嵌合・離脱する第１係止部３５を設けたことにより、グリップ部２の第１係止部３５で操作子３０の操作性を確保しつつ、ヘッド部６の第２係止部３７でヘッド部６のガタ付きを確実に防ぐことができる。
【００３１】
さらに、図１５に示すように、操作子３０を円弧軌道で往復スライド動させるようにしたことにより、ヘッド部６の回動軸Ｘに近い方向にヘッド部６のクリック力を伝え、ヘッド部６の押し上げ時のヘッド部６の回転方向のガタ付きを確実に抑制することができる。
【００３２】
図１６は本発明の他の実施形態の電気ひげそり器の要部を示す斜視図である。
【００３３】
この他の実施形態では、ヘッド部６にきわぞり刃ユニット２０を使用状態と格納状態とに切り換え操作する操作子３０′を配設した点が、前記実施形態と異なる。他の構成は前記実施形態と同様であるので、同一構成部分は同一符号を付して詳細な説明を省略する。
【００３４】
この他の実施形態では、ヘッド部６にきわぞり刃ユニット２０を使用状態と格納状態とに切り換え操作する操作子３０′を配設したことにより、グリップ部２側に操作部がなくなるため、グリップ部２の握り勝手を向上させることができる。また、ヘッド部６内にきわぞり刃ユニット２０と操作子３０′をそれぞれ配設したので、安定的にきわぞり刃ユニット２０の駆動桿等の駆動部を適宜嵌合させることができる。
【符号の説明】
【００３５】
１  電気ひげそり器
２  グリップ部
６  ヘッド部
１０  ひげそり刃ユニット
２０  きわぞり刃ユニット
３０，３０′  操作子
３５  第１係止部（係止部）
３７  第２係止部（ヘッド部固定用の係止部）
【図１】
2010162145.tif 000003
【図２】
2010162145.tif 000004
【図３】
2010162145.tif 000005
【図４】
2010162145.tif 000006
【図５】
2010162145.tif 000007
【図６】
2010162145.tif 000008
【図７】
2010162145.tif 000009
【図８】
2010162145.tif 000010
【図９】
2010162145.tif 000011
【図１０】
2010162145.tif 000012
【図１１】
2010162145.tif 000013
【図１２】
2010162145.tif 000014
【図１３】
2010162145.tif 000015
【図１４】
2010162145.tif 000016
【図１５】
2010162145.tif 000017
【図１６】
2010162145.tif 000018